(57)【要約】【課題】プリチャージ方式を改善して表示装置の小型化及び低コスト化を図る。【解決手段】外部のビデオドライバは、各水平走査期間に先行するプリチャージ期間で所定電位のプリチャージ信号を表示パネル３３のビデオラインＶＩＤＥＯに供給する。外部のタイミングジェネレータは、プリチャージ期間で表示パネル３３の水平駆動回路１７に供給するタイミング信号ＨＳＴ，ＨＣＫ，ＤＣＫをホールドする。水平駆動回路１７はホールドされたタイミング信号に応じて動作し、プリチャージ期間に各サンプリングスイッチＨＳＷをオンしてビデオラインＶＩＤＥＯからプリチャージ信号を各信号ラインＹにサンプリングし、以って映像信号のサンプリングに先立ち各信号ラインＹを所定電位にプリチャージしておく。【選択図】図５
2005300701.tif 000002
【特許請求の範囲】
【請求項１】
表示パネルと、これに映像信号を供給するビデオドライバと、同じく表示パネルにタイミング信号を供給するタイミングジェネレータとからなり、
該表示パネルは、行方向に配されたゲートライン、列方向に配された信号ライン及び各ゲートラインと各信号ラインが交差する部分に配された行列状の画素からなる画素アレイ部と、各ゲートラインに接続し垂直走査期間で各画素を行毎に順次選択する垂直駆動回路と、該ビデオドライバから供給された映像信号を取り入れるビデオラインと、該ビデオラインと各信号ラインとの間に接続された複数のサンプリングスイッチと、該タイミングジェネレータから供給されたタイミング信号に応じて動作し、水平走査期間で各サンプリングスイッチを順次オンして該ビデオラインから映像信号を各信号ラインに順次サンプリングし、以って選択された行の画素に点順次で映像信号を書き込む水平駆動回路とを備えた表示装置において、
前記ビデオドライバは、各水平走査期間に先行するプリチャージ期間で所定電位のプリチャージ信号を該表示パネルのビデオラインに供給し、
前記タイミングジェネレータは、該プリチャージ期間で該表示パネルの水平駆動回路に供給するタイミング信号を調整し、
前記表示パネルの水平駆動回路は該調整されたタイミング信号に応じて動作し、該プリチャージ期間に各サンプリングスイッチをオンして該ビデオラインからプリチャージ信号を各信号ラインにサンプリングし、以って映像信号のサンプリングに先立ち各信号ラインを所定電位にプリチャージしておくことを特徴とする表示装置。
【請求項２】
前記水平駆動回路は、該プリチャージ期間で各サンプリングスイッチを一斉にオンして該プリチャージ信号を各信号ラインに一斉にサンプリングすることを特徴とする請求項１記載の表示装置。
【請求項３】
前記水平駆動回路は、該プリチャージ期間で各サンプリングスイッチを少なくとも一つ置き交互にオンして該プリチャージ信号を各信号ラインに一つ置き交互にサンプリングすることを特徴とする請求項１記載の表示装置。
【請求項４】
表示パネルと、これに映像信号を供給するビデオドライバと、同じく表示パネルにタイミング信号を供給するタイミングジェネレータとを備え、該表示パネルは、行方向に配されたゲートライン、列方向に配された信号ライン及び各ゲートラインと各信号ラインが交差する部分に配された行列状の画素からなる画素アレイ部と、各ゲートラインに接続し垂直走査期間で各画素を行毎に順次選択する垂直駆動回路と、該ビデオドライバから供給された映像信号を取り入れるビデオラインと、該ビデオラインと各信号ラインとの間に接続された複数のサンプリングスイッチと、該タイミングジェネレータから供給されたタイミング信号に応じて動作し、水平走査期間で各サンプリングスイッチを順次オンして該ビデオラインから映像信号を各信号ラインに順次サンプリングし、以って選択された行の画素に点順次で映像信号を書き込む水平駆動回路とを備えている表示装置の駆動方法において、
前記ビデオドライバを制御して、各水平走査期間に先行するプリチャージ期間に所定電位のプリチャージ信号を該表示パネルのビデオラインに供給し、
前記タイミングジェネレータを制御して、該プリチャージ期間に該表示パネルの水平駆動回路に供給するタイミング信号を調整し、
前記表示パネルの水平駆動回路を該調整されたタイミング信号に応じて動作させ、該プリチャージ期間に各サンプリングスイッチをオンして該ビデオラインからプリチャージ信号を各信号ラインにサンプリングし、
以って映像信号のサンプリングに先立ち各信号ラインを所定電位にプリチャージしておくことを特徴とする表示装置の駆動方法。
【発明の詳細な説明】
【技術分野】
【０００１】
本発明はアクティブマトリクス方式の表示装置及びその駆動方法に関する。より詳しくは、表示画面のユニフォーミティ改善を目的としたプリチャージ技術に関する。
【背景技術】
【０００２】
アクティブマトリクス型の表示装置においてラスタ走査を行なう際に、各画素に書き込む映像信号を１水平走査期間（１Ｈ）毎に反転させる、いわゆる１Ｈ反転駆動方式が行なわれている。１Ｈ反転駆動の場合、行列状に配された画素の各列毎に設けた信号ラインに対する映像信号の書込による充放電電流が大きいと、いわゆる「縦スジ」と呼ばれる不具合が表示画面上に見えてしまう。この映像信号の書込による充放電電流をなるべく抑える為に、映像信号の書込に先立って、あらかじめプリチャージ信号を信号ラインに印加しておくプリチャージ駆動方式が従来から採用されている。
【特許文献１】特開平７−２９５５２１号公報
【特許文献２】特開２００３−１２２３１７号公報
【特許文献３】特開２００３−１２２３２０号公報
【発明の開示】
【発明が解決しようとする課題】
【０００３】
一般にアクティブマトリクス型の表示装置は、画面を構成するフラット型の表示パネルと、これを駆動する外部の周辺駆動回路とで構成されている。上述した様に、現行の表示パネルは、画質のユニフォーミティ改善の為、映像信号入力前に映像信号と同極性のプリチャージ信号を入力している。この為、表示パネル外部で映像信号とは別にプリチャージ信号を発生させる為のプリチャージ信号用外部ＩＣが必要である。このプリチャージ信号用外部ＩＣはアナログバッファで構成されている為、他のデジタル系ＩＣと比較して故障率が高く、表示パネル駆動用ボードの故障原因の一つとなっている。又、表示パネル内部でもプリチャージ信号用のバスラインやプリチャージ信号サンプリング用のスイッチ及びこのスイッチを制御するパルスを発生させる制御回路などが必要で、パネルサイズの更なる小型化の障害となっている。
【課題を解決するための手段】
【０００４】
上述した従来の技術の課題に鑑み、本発明はプリチャージ方式を改善して表示装置の小型化及び低コスト化を図ることを目的とする。係る目的を達成する為に以下の手段を講じた。即ち、表示パネルと、これに映像信号を供給するビデオドライバと、同じく表示パネルにタイミング信号を供給するタイミングジェネレータとからなり、該表示パネルは、行方向に配されたゲートライン、列方向に配された信号ライン及び各ゲートラインと各信号ラインが交差する部分に配された行列状の画素からなる画素アレイ部と、各ゲートラインに接続し垂直走査期間で各画素を行毎に順次選択する垂直駆動回路と、該ビデオドライバから供給された映像信号を取り入れるビデオラインと、該ビデオラインと各信号ラインとの間に接続された複数のサンプリングスイッチと、該タイミングジェネレータから供給されたタイミング信号に応じて動作し、水平走査期間で各サンプリングスイッチを順次オンして該ビデオラインから映像信号を各信号ラインに順次サンプリングし、以って選択された行の画素に点順次で映像信号を書き込む水平駆動回路とを備えた表示装置において、前記ビデオドライバは、各水平走査期間に先行するプリチャージ期間で所定電位のプリチャージ信号を該表示パネルのビデオラインに供給し、前記タイミングジェネレータは、該プリチャージ期間で該表示パネルの水平駆動回路に供給するタイミング信号を調整し、前記表示パネルの水平駆動回路は該調整されたタイミング信号に応じて動作し、該プリチャージ期間に各サンプリングスイッチをオンして該ビデオラインからプリチャージ信号を各信号ラインにサンプリングし、以って映像信号のサンプリングに先立ち各信号ラインを所定電位にプリチャージしておくことを特徴とする。
【０００５】
一態様では前記水平駆動回路は、該プリチャージ期間で各サンプリングスイッチを一斉にオンして該プリチャージ信号を各信号ラインに一斉にサンプリングする。他の態様では前記水平駆動回路は、該プリチャージ期間で各サンプリングスイッチを少なくとも一つ置き交互にオンして該プリチャージ信号を各信号ラインに一つ置き交互にサンプリングする。
【０００６】
又本発明は、表示パネルと、これに映像信号を供給するビデオドライバと、同じく表示パネルにタイミング信号を供給するタイミングジェネレータとを備え、該表示パネルは、行方向に配されたゲートライン、列方向に配された信号ライン及び各ゲートラインと各信号ラインが交差する部分に配された行列状の画素からなる画素アレイ部と、各ゲートラインに接続し垂直走査期間で各画素を行毎に順次選択する垂直駆動回路と、該ビデオドライバから供給された映像信号を取り入れるビデオラインと、該ビデオラインと各信号ラインとの間に接続された複数のサンプリングスイッチと、該タイミングジェネレータから供給されたタイミング信号に応じて動作し、水平走査期間で各サンプリングスイッチを順次オンして該ビデオラインから映像信号を各信号ラインに順次サンプリングし、以って選択された行の画素に点順次で映像信号を書き込む水平駆動回路とを備えている表示装置の駆動方法において、前記ビデオドライバを制御して、各水平走査期間に先行するプリチャージ期間に所定電位のプリチャージ信号を該表示パネルのビデオラインに供給し、前記タイミングジェネレータを制御して、該プリチャージ期間に該表示パネルの水平駆動回路に供給するタイミング信号を調整し、前記表示パネルの水平駆動回路を該調整されたタイミング信号に応じて動作させ、該プリチャージ期間に各サンプリングスイッチをオンして該ビデオラインからプリチャージ信号を各信号ラインにサンプリングし、以って映像信号のサンプリングに先立ち各信号ラインを所定電位にプリチャージしておくことを特徴とする。
【発明の効果】
【０００７】
本発明によれば、表示パネルに外部から映像信号を供給するビデオドライバを利用して、プリチャージ信号を表示パネルに供給している。換言すると、ビデオドライバはあらかじめプリチャージ信号と映像信号を合成して、表示パネルに供給している。この結果、従来必要とされていたプリチャージ信号用外部ＩＣを削除することができる。これによりパネル駆動用ボードのコストの低減、基板面積の縮小及び故障率の低減が見込まれる。又本発明によれば、表示パネルの内部で、映像信号を各画素にサンプリングする水平駆動回路及びサンプリングスイッチを利用して、プリチャージ信号のサンプリングを行なっている。この為、従来必要とされたプリチャージ信号用のバスラインやプリチャージ信号選択スイッチ及びそのスイッチを制御するパルスを発生させる制御回路などを削除可能である。これにより、パネルサイズの縮小化が可能となり、大型のウェハから多数のパネル用基板を作成する場合、理論収率の増加が見込まれる。尚、表示パネル内部の水平駆動回路及びサンプリングスイッチでプリチャージ動作を行なう為、外部のタイミングジェネレータから表示パネル内部に供給するタイミング信号を調整している。
【発明を実施するための最良の形態】
【０００８】
以下図面を参照して本発明の実施の形態を詳細に説明する。まず初めに本発明の背景を明らかにする為、図１を参照して一般的な表示装置の全体構成を説明する。図示する様に、表示装置は画面を構成する表示パネル３３とこれに映像信号を供給するビデオドライバ１９と、同じく表示パネル３３に各種のタイミング信号を供給するタイミングジェネレータ１８とからなる。タイミング信号には、一次クロック信号ＨＣＫ１，ＨＣＫ２や二次クロック信号ＤＣＫ１，ＤＣＫ２、更には水平スタートパルスＨＳＴなどが含まれる。
【０００９】
表示パネル３３は画素アレイ部１５とその周辺に配された垂直駆動回路１６、水平駆動回路１７、ユニフォーミティ改善回路２０などで構成されている。画素アレイ部１５は、行方向に配されたゲートラインＸ、列方向に配された信号ラインＹ及び各ゲートラインＸと各信号ラインＹが交差する部分に配された行列状の画素１１からなる。垂直駆動回路１６は左右からゲートラインＸに接続し、垂直走査期間（Ｖ）で各画素１１を行毎に順次選択する。水平駆動回路１７はビデオラインＶＩＤＥＯを介して外部のビデオドライバ１９から映像信号を取り込む。又図示しないが、水平駆動回路１７には複数のサンプリングスイッチが含まれており、ビデオラインＶＩＤＥＯと各信号ラインＹとの間に接続されている。水平駆動回路１７は、タイミングジェネレータ１８から供給された各種のタイミング信号に応じて動作し、水平走査期間（Ｈ）で各サンプリングスイッチを順次オンしてビデオラインＶＩＤＥＯから映像信号を各信号ラインＹにサンプリングし、以って選択された行の画素１１に点順次で映像信号を書き込む。
【００１０】
ユニフォーミティ改善回路２０は、水平駆動回路１７とは反対側で各信号ラインＹの下端に接続されている。ユニフォーミティ改善回路２０は、各画素１１に対する映像信号の書込に先立って各信号ラインＹに対するプリチャージを行なう。具体的には、水平走査期間（Ｈ）に先行するブランキング期間を利用して、プリチャージ信号を各信号ラインＹに印加し、あらかじめ所定電位に充電しておく。このプリチャージ動作を行なう期間を明細書ではプリチャージ期間と呼んでおり、一般にブランキング期間内に含まれる。
【００１１】
図２は、図１に示した表示パネル内部の具体的な構成を示す回路図である。前述した様に、表示パネル３３は中央の画素アレイ部１５とこれを囲む垂直駆動回路１６、水平駆動回路１７及びユニフォーミティ改善回路２０とで構成されている。画素アレイ部１５は、ゲートラインＸ１，Ｘ２と信号ラインＹ１，Ｙ２，Ｙ３が格子状に配されており、各交点に画素１１が配されている。本実施形態では、個々の画素１１は液晶素子ＬＣとこれを駆動する薄膜トランジスタＴＦＴとで構成されている。薄膜トランジスタＴＦＴのゲート電極は対応するゲートラインＸに接続し、ソース電極は対応する信号ラインＹに接続し、ドレイン電極は対応する液晶素子ＬＣの一方の電極（画素電極）に接続している。液晶素子ＬＣの他方の電極（対向電極）は所定の電位（対向電位）に固定されている。
【００１２】
垂直駆動回路１６は各ゲートラインＸ１，Ｘ２の一端に接続されており、１垂直走査期間（１Ｖ）で、ゲートラインＸ１，Ｘ２・・・を線順次選択する。例えばゲートラインＸ１が選択されると、これにゲートが接続したＴＦＴが一斉に導通し、１行分の画素１１が選択される。
【００１３】
これに対し各信号ラインＹ１，Ｙ２，Ｙ３・・・とビデオラインＶＩＤＥＯとの間にサンプリングスイッチＨＳＷ１，ＨＳＷ２，ＨＳＷ３・・・が接続されている。これらサンプリングスイッチＨＳＷは水平駆動回路１７によって順次オンオフ駆動される。具体的には、水平駆動回路１７はシフトレジスタで構成されており、外部のタイミングジェネレータから供給されるクロック信号ＨＣＫ，ＤＣＫに応じて動作し、同じく外部から供給されるスタートパルスＨＳＴを順次転送することで、サンプリングスイッチＨＳＷ１，ＨＳＷ２，ＨＳＷ３を１水平期間（１Ｈ）内で順次オンしていく。これにより、ビデオラインＶＩＤＥＯから映像信号が各信号ラインＹ１，Ｙ２，Ｙ３・・・にサンプリングされ、選択状態にある１行分の画素１１の各液晶素子ＬＣに書き込まれる。
【００１４】
画素アレイ部１５の下方にはビデオラインＶＩＤＥＯとは別にプリチャージ信号ＰＳＩＧを外部から取り込むプリチャージ用のバスライン（プリチャージライン）が配されている。このプリチャージラインと各信号ラインＹ１，Ｙ２，Ｙ３・・・との間にプリチャージ用のスイッチ（プリチャージスイッチ）ＰＳＷ１，ＰＳＷ２，ＰＳＷ３・・・が接続されている。これらプリチャージスイッチＰＳＷはユニフォーミティ改善回路２０によってオンオフ制御される。具体的には、ユニフォーミティ改善回路２０はプリチャージ期間に外部のタイミングジェネレータから供給されるタイミング信号ＰＣＧに応じて動作し、各プリチャージスイッチＰＳＷを一斉にオンする。これにより、プリチャージラインから供給されたプリチャージ信号ＰＳＩＧが各信号ラインＹにサンプリングされる。この信号ラインＹに対するプリチャージ動作は、各画素１１に対する映像信号のサンプリングに先行して行なわれる。換言すると、各信号ラインＹはあらかじめプリチャージ動作により所定の電位に充電されており、その後実際に映像信号をサンプリングする時には充放電量が少なくなっており、画質のユニフォーミティを改善できる。
【００１５】
図３は、図２に示した水平駆動回路１７の具体的な構成を示す回路図である。図示する様に、本水平駆動回路１７は、各信号ラインＹ１，Ｙ２，Ｙ３，Ｙ４に対応して多段接続されたシフトレジスタＳ／Ｒで構成されている。各シフトレジスタＳ／Ｒの出力段には抜取スイッチＳＷ１，ＳＷ２，ＳＷ３，ＳＷ４が接続されている。各抜取スイッチＳＷ１，ＳＷ２，ＳＷ３，ＳＷ４の出力は対応する遅延回路ＤＬＹ１，ＤＬＹ２，ＤＬＹ３，ＤＬＹ４を介して対応するサンプリングスイッチＨＳＷ１，ＨＳＷ２，ＨＳＷ３，ＨＳＷ４に接続されている。本実施形態では、抜取スイッチＳＷ及びサンプリングスイッチＨＳＷは一対のＰチャネルトランジスタ及びＮチャネルトランジスタからなるトランスミッションゲート素子で構成されている。又遅延回路ＤＬＹは７個のインバータで構成されている。
【００１６】
多段接続されたシフトレジスタＳ／Ｒはタイミングジェネレータから供給される互いに逆相の一次クロック信号ＨＣＫ１，ＨＣＫ２に応じて動作し、同じくタイミングジェネレータから供給される水平スタートパルスＨＳＴを順次転送することで、対応する抜取スイッチＳＷ１，ＳＷ２，ＳＷ３，ＳＷ４を順次オンしていく。奇数番目の抜取スイッチＳＷ１，ＳＷ３・・・にはタイミングジェネレータから二次クロック信号ＤＣＫ１が供給されており、偶数番目の抜取スイッチＳＷ２，ＳＷ４・・・には同じくタイミングジェネレータから逆相の二次クロック信号ＤＣＫ２が供給されている。シフトレジスタによって抜取スイッチＳＷ１がオンすると、ＤＣＫ１からパルスが１個抜き取られ、対応するＤＬＹ１で位相調整及び増幅を行なった後、ＨＳＷ１をオンする。これにより、ビデオラインＶＩＤＥＯから信号ラインＹ１に映像信号がサンプリングされる。続いて抜取スイッチＳＷ２がオンし、ＤＣＫ２のパルスが１個抜き取られ、遅延回路ＤＬＹ２によって位相調整及び増幅を行なった後、サンプリングスイッチＨＳＷ２に印加されこれをオンする。これによりビデオラインＶＩＤＥＯから映像信号が対応する信号ラインＹ２にサンプリングされる。
【００１７】
図４は、図２及び図３に示した一般的な表示装置の動作説明に供するタイミングチャートである。まず初めに先の画素行に対する映像信号書込の終了から次の画素行に対する映像信号の書込開始までの期間（水平ブランキング期間）内に各信号ラインに対するプリチャージを行なう。プリチャージを行なっている期間を図４のタイミングチャートではプリチャージ期間として表わしてある。このプリチャージ期間では、サンプリングスイッチＨＳＷ１，ＨＳＷ２・・・に対して選択パルスは印加されず、全段オフしている。一方、プリチャージ信号用選択スイッチＰＳＷ１，ＰＳＷ２・・・を制御するパルスＰＣＧをハイレベルにして、プリチャージ信号用選択スイッチＰＳＷ１，ＰＳＷ２・・・を全段オンにする。この時プリチャージ信号用バスラインから入力されたプリチャージ信号ＰＳＩＧを各信号ラインＹ１，Ｙ２・・・にプリチャージする。これにより信号ラインＹ１，Ｙ２・・・は所定の電位に充電される。例えばプリチャージ信号ＰＳＩＧのレベルを対向電位とすれば、各信号ラインＹ１，Ｙ２・・・は先のフレーム又はフィールドで書き込まれた負側電位から対向電位まで充電されることになる。この後映像信号の書込開始直前でＰＣＧをローレベルに切り替え、プリチャージ信号用選択スイッチＰＳＷを全段オフする。
【００１８】
続いて映像信号の点順次書込が開始し、まずタイミングジェネレータからスタートパルスＨＳＴが入力される。シフトレジスタはＨＣＫ１，ＨＣＫ２に応じて動作しその半周期毎にＨＳＴを順次転送して各段から出力する。シフトレジスタの第１段から出力されたスタートパルスＨＳＴによってＤＣＫ１が抜き取られ、これによりＨＳＷ１がオンする。続いてシフトレジスタの第２段から出力されたスタートパルスＨＳＴによりＤＣＫ２が抜き取られ、これに応じてＨＳＷ２がオンする。図のタイミングチャートから明らかな様に、ＤＣＫから抜き取られたパルスはＨＳＴのパルスよりも幅が狭く、互いにオーバーラップすることがない。これにより、各サンプリングスイッチＨＳＷ１，ＨＳＷ２・・・は互いに干渉することなく、正しい映像信号レベルをビデオラインからサンプリングすることができる。ＨＳＷ１がオンすると信号ラインＹ１に正極性の映像信号がサンプリングされる。この時信号ラインＹ１はあらかじめ対向電位までプリチャージされているので、正極性の映像信号の充電量は少なくて済む。仮に、プリチャージを行なわないと、信号ラインＹ１には先のフレーム又はフィールドで書き込まれた負極性の映像信号電位から正の映像信号電位まで一気に充電しなければならず、画質が乱れる原因となる。同様にＨＳＷ２がオンすると対応する信号ラインＹ２に映像信号がサンプリングされる。
【００１９】
以上の説明から明らかな様に、一般的な表示装置では、プリチャージを行なう為プリチャージ専用の回路が必要であった。これに対し、図５は本発明に係る表示装置の第１実施形態を表わしており、プリチャージ周りの回路の簡素化を図っている。図５（Ａ）は本発明に係る表示装置の主要部を構成する表示パネルを表わすブロック図である。理解を容易にする為、図２に示した参考例の表示パネルと対応する部分には対応する参照番号を付してある。図示する様に、表示パネル３３は、画素アレイ部１５とその周辺に配された垂直駆動回路１６及び水平駆動回路１７とで構成されており、ユニフォーミティ改善回路は除かれている。画素アレイ部１５は、行方向に配されたゲートラインＸ１，Ｘ２、列方向に配された信号ラインＹ１，Ｙ２，Ｙ３・・・及び各ゲートラインＸと各信号ラインＹが交差する部分に配された行列状の画素１１からなる。垂直駆動回路１６は各ゲートラインＸ１，Ｘ２に接続し、垂直走査期間で各画素１１を行毎に順次選択する。ビデオラインＶＩＤＥＯは外部のビデオドライバから供給された映像信号を取り入れる。サンプリングスイッチＨＳＷ１，ＨＳＷ２，ＨＳＷ３は、ビデオラインＶＩＤＥＯと各信号ラインＹ１，Ｙ２，Ｙ３との間に接続されている。水平駆動回路１７は、外部のタイミングジェネレータから供給されたタイミング信号ＨＳＴ，ＨＣＫ，ＤＣＫに応じて動作し、水平走査期間で各サンプリングスイッチＨＳＷ１，ＨＳＷ２，ＨＳＷ３を順次オンして、ビデオラインＶＩＤＥＯから映像信号を各信号ラインＹ１，Ｙ２，Ｙ３に順次サンプリングし、以って選択された行の画素１１に点順次で映像信号を書き込む。
【００２０】
本発明の特徴事項として、外部のビデオドライバは、水平走査期間（Ｈ）に先行するプリチャージ期間で所定電位（例えば画素を構成する液晶素子の対向電位）のプリチャージ信号を表示パネル３３のビデオラインＶＩＤＥＯに供給する。同じく外部のタイミングジェネレータはプリチャージ期間で表示パネル３３の水平駆動回路１７に供給するタイミング信号ＨＳＴ，ＨＣＫ，ＤＣＫを調整する。例えば、プリチャージ期間で全てのタイミング信号ＨＳＴ，ＨＣＫ，ＤＣＫをハイレベルにホールドする。表示パネル３３内の水平駆動回路１７はこの様にハイレベルにホールドされたタイミング信号ＨＳＴ，ＨＣＫ，ＤＣＫに応じて動作し、プリチャージ期間に各サンプリングスイッチＨＳＷ１，ＨＳＷ２，ＨＳＷ３をオンしてビデオラインＶＩＤＥＯからプリチャージ信号を各信号ラインＹ１，Ｙ２，Ｙ３にサンプリングし、以って映像信号のサンプリングに先立ち各信号ラインＹ１，Ｙ２，Ｙ３を所定電位にプリチャージしておく。
【００２１】
（Ｂ）は、（Ａ）に示した表示パネルの動作説明に供するタイミングチャートである。まずプリチャージ期間に水平駆動用デジタル信号である各種のタイミング信号（ＨＳＴ，ＨＣＫ１，ＨＣＫ２，ＤＣＫ１，ＤＣＫ２）を一定電位（ハイレベル）に固定する。これにより映像信号のサンプリングスイッチＨＳＷ１，ＨＳＷ２・・・は全段オンし、ビデオラインＶＩＤＥＯから入力されたプリチャージ信号を各信号ラインＹ１，Ｙ２・・・に一斉にプリチャージする。この後映像信号の書込開始直前でタイミング信号を通常波形に戻し、サンプリングスイッチＨＳＷ１，ＨＳＷ２・・・を順次オンさせていく。このプリチャージ駆動方式を用いることにより、プリチャージ信号用外部ＩＣとパネル内部のユニフォーミティ改善回路を削除することができる。
【００２２】
図６は、本発明に係る表示装置の第２実施形態を示しており、その主要部となる表示パネルの回路図である。理解を容易にする為図３に示した参考例に係る表示パネルの回路図と対応する部分には対応する参照番号を付してある。本表示パネルは画素アレイ部１５の周辺に垂直駆動回路１６と水平駆動回路１７を配してあり、ユニフォーミティ改善回路は省かれている。水平駆動回路１７はシフトレジスタＳ／Ｒと抜取スイッチＳＷ１，ＳＷ２，ＳＷ３，ＳＷ４・・・とサンプリングスイッチＨＳＷ１，ＨＳＷ２，ＨＳＷ３，ＨＳＷ４とで構成されている。本実施形態では、プリチャージ期間中、ＨＣＫ１，ＨＣＫ２及びＨＳＴはハイレベルにホールドする一方、ＤＣＫ１，ＤＣＫ２は水平走査期間と同じパルス波形を用いている。これにより、水平駆動回路１７はプリチャージ期間でサンプリングスイッチＨＳＷ１，ＨＳＷ２，ＨＳＷ３，ＨＳＷ４を少くとも一つ置き交互にオンしてプリチャージ信号を各信号ラインＹ１，Ｙ２，Ｙ３，Ｙ４・・・に一つ置き交互にサンプリングすることができる。
【００２３】
図７は、図６に示した第２実施形態に係る表示パネルの動作説明に供するタイミングチャートである。上述した様にプリチャージ期間において、ＨＳＴ，ＨＣＫ１及びＨＣＫ２はハイレベルにホールドする一方、ＤＣＫ１及びＤＣＫ２は通常波形を入力している。この様にすると、互いに逆相のＤＣＫ１，ＤＣＫ２が抜取スイッチでそのまま抜き取られ、ＨＳＷ１，ＨＳＷ２に印加される。この為プリチャージ期間中、映像信号サンプリングスイッチは全段ではなく、奇数段及び偶数段交互にオンさせることができる。これにより、消費電流の増加を第１実施形態に比べ半減させることが可能である。図5に示した第１実施形態では、プリチャージ期間にサンプリングスイッチを全段一斉にオンさせていた為、水平駆動回路の消費電流が急激に増加することが考えられる。
【図面の簡単な説明】
【００２４】
【図１】一般的な表示装置の全体構成を示すブロック図である。
【図２】図１に示した表示パネルの構成例を示す回路図である。
【図３】図２に示した水平駆動回路の具体的な回路構成を示す回路図である。
【図４】図２に示した表示パネルの動作説明に供するタイミングチャートである。
【図５】本発明に係る表示装置の第１実施形態を示す回路図及びタイミングチャートである。
【図６】本発明に係る表示装置の第２実施形態を示す回路図である。
【図７】図６に示した第２実施形態の動作説明に供するタイミングチャートである。
【符号の説明】
【００２５】
１１・・・画素、１５・・・画素アレイ部、１６・・・垂直駆動回路、１７・・・水平駆動回路、１８・・・タイミングジェネレータ、１９・・・ビデオドライバ
【図１】
2005300701.tif 000003
【図２】
2005300701.tif 000004
【図３】
2005300701.tif 000005
【図４】
2005300701.tif 000006
【図５】
2005300701.tif 000007
【図６】
2005300701.tif 000008
【図７】
2005300701.tif 000009